(57)【要約】【課題】単純な構造で、物品を容易に封入でき、かつ物品の保管が可能な容器を提供する。【解決手段】物品が収容される容器１は、互いに突き合わされて物品８を収容する空間を構成する複数の分割収容部２，４と、この分割収容部２，４の開口端部に一体に設けられ、かつ分割収容部２，４が互いの開口端部で突き合わされた状態で互いに平行となるように形成された縁部１２と、互いに突き合わされる縁部１２にそれぞれ一体化された係脱自在な係合対１６とを備える。この容器１では、分割収容部２，４は、係合対１６が係合されることによって互いの分割収容部２，４が各開口端部で突き合わされて収容部１０を構成する。したがって、分割収容部２に物品を配置して、分割収容部２，４を係合対１６によって一体化することで、物品８を封入できる。このため、封入作業が単純であり、封入に他の金具や接着剤を必要としない。【選択図】図１
2004010074.tif 000002
【特許請求の範囲】
【請求項１】
物品が収容される容器であって、
互いに突き合わされて物品を収容する空間を構成する複数の分割収容部と、
この分割収容部の開口端部に一体に設けられ、かつ当該分割収容部が互いの開口端部で突き合わされた状態で互いに平行となるように形成された縁部と、
前記互いに突き合わされる縁部にそれぞれ一体化された係脱自在な係合対
とを備える、容器。
【請求項２】
前記縁部に沿う部分を有し、前記係合対に係止されるシートを備える、請求項１に記載の容器。
【請求項３】
前記２以上の分割収容部の内側に沿って設けられるシートを備える、請求項１に記載の容器。
【発明の詳細な説明】
【０００１】
【発明の属する技術分野】
この発明は、物品を封入できる容器であって、物品の包装に好適な容器に関する。
【０００２】
【従来の技術】
例えば、サインペン、カッターなどの文房具や、接着剤、オイルなど柔軟な容器に封入された商品などは、販売時には、紙製の台紙に載せられてその上からプラスチック製の透明のカバーがかけられて、包装されているものがある。このような包装では、透明カバーと台紙とが金具や接着剤で固定されたり、プラスチックフィルムでコートされている台紙にカバーが溶着されたりして、商品が封入されている。しかし、金具を用いる構成では部品点数が多く、また、溶着や接着剤を用いる形態では、材料数や作業工数が多い。
一方、このような包装によって販売される商品の多くは、他部材との接触によって変形、破損などするおそれのある商品であることが多く、購入後、消費者は保管方法に留意しなければならない。
【０００３】
【発明が解決しようとする課題】
そこで、本発明では、単純な構造で、物品を容易に封入でき、かつ物品の保管が可能な容器を提供することを課題とする。
【０００４】
【課題を解決するための手段】
上記課題を解決するため、本発明では、物品が収容される容器であって、互いに突き合わされて物品を収容する空間を構成する複数の分割収容部と、この分割収容部の開口端部に一体に設けられ、かつ当該分割収容部が互いの開口端部で突き合わされた状態で互いに平行となるように形成された縁部と、前記互いに突き合わされる縁部にそれぞれ一体化された係脱自在な係合対とを備える、容器を提供する。
この容器では、複数の分割収容部は、係合対が係合されることによって互いの分割収容部が各開口端部で突き合わされて収容部を構成する。したがって、分割収容部に物品を配置して、各分割収容部を係合対によって一体化することで、物品を封入できる容器となっている。このため、封入作業が単純である。そして、係合対は、係脱自在であるため、物品を収容部から取り出した後、再び本容器の収容部に封入することができ、良好な状態で保管することができる。したがって、本容器は、包装と保管の両方に好適に用いることができる容器となっている。
【０００５】
また、この容器において、前記縁部に沿う部分を有し、前記係合対に係止されるシートを備える容器を提供する。
あるいは、前記２以上の分割収容部の内側に沿って設けられるシートを備える容器を提供する。
これらの容器では、封入状態において容器に安定に保持されるシートが備えられているため、シートに表示、係留手段などの種々の機能を付与して容器にこれらを付加することができる。
【０００６】
【発明の実施の形態】
次に、本発明の実施の形態について、図面を参照して詳細に説明する。
本発明に係る容器は、物品の包装および保管に好適に用いられるが、他の用途にも利用することができる。特に、物品を整とんした状態、配列した状態で保管、収納したり、他部材から機械的に保護した状態で保管する場合に好適に用いられる容器である。特に、容器が剛性を備える場合、収容部に収容される物品を良好に保護することができ、販売のための運搬や、容器開封後の物品の保存に好適に用いることができる。
【０００７】
図１〜３に、本発明の第１の実施の形態に係わる容器１を示す。容器１は、ミシンオイル、液肥などの液体や流体が封入されている角瓶状のパックである物品８を収容する容器であり、販売店に陳列しやすい形態とされている。容器１は、第１分割収容部２と第２分割収容部４とシート６とを備えている。
【０００８】
第１分割収容部２は、本実施形態では、容器１に物品８の一面を除く全体を包囲する形状に形成されている。第１分割収容部２は、物品８の形状に合わせて略角柱状の外形に形成され、物品８を収容可能な内部空間を備えている。
【０００９】
第１分割収容部２は、開口端に沿って縁部１２を備えている。縁部１２は、本実施形態では、収容部１０の開口面と同一平面を成す平板状部分に形成されており、開口端の短手方向の一辺を除く全体に一体に形成されている。
【００１０】
第２分割収容部４は、第１分割収容部２に突き合わされて物品８を収容可能な収納部を形成する部材で、図２に示すようにほぼ平板状に形成されている。第２分割収容部４は、第１分割収容部２の外形とほぼ等しい大きさに形成されており、縁部１２に対向する部位が縁部１３とされている。
【００１１】
本実施形態の容器１では、第１分割収容部２および第２分割収容部４は、一辺で回動自在に連結されている。具体的には、第１分割収容部２の縁部１２が設けられていない収容部１０の開口端と第２分割収容部４の短手方向の端部とが、連結されている。連結形態は、ヒンジ式や布状部材を貼りつける形態など公知の形態で良い。本実施形態では、第１分割収容部２および第２分割収容部４がポリプロピレンで成形されており、同様の材料が熱溶着によって付加されることによって連結部１４が形成されている。第１分割収容部２および第２分割収容部４は、連結部１４を中心に、互いに回動自在に連結されている。
【００１２】
なお、第１分割収容部２および第２分割収容部４は、別体とされていても良いのはもちろんである。また、この場合、好ましくは、各分割収容部２，４の開口端全体に縁部が形成される。
【００１３】
第１分割収容部２および第２分割収容部４は、それぞれ不透明でも良いが、少なくとも一部に透明部分を有すると収容部１０の内部を外側から視認でき、好ましい。特に、後述するシート６を有する容器１では、第１分割収容部２および第２分割収容部４の両方に透明部分があることが好ましい。シート６又は物品８が、第１分割収容部２および／または第２分割収容部４を通して視認できる形態は、表示、広告、管理の観点で好ましい。本実施形態では、第１分割収容部２および第２分割収容部４の全体がほぼ透明に形成されている。
【００１４】
図１，２に示すように、第１分割収容部２と第２分割収容部４とは、係合対１６によって開閉自在に設けられている。係合対１６は、互いに係合可能で係脱自在の１組の形状部分である。
【００１５】
図２に示すように、本実施形態の係合対１６は、容器１の長手方向の端縁に沿う第１分割収容部２の縁部１２と第２分割収容部４の縁部１３に均等な間隔で設けられている。縁部１３には、第１分割収容部２の方向に突出する凸部１８が設けられており、縁部１２には凸部１８が挿入される凹部２０が設けられている。平板状に形成された分割収容部（４）に開口側に突出する凸部が設けられると、図１に示す係合状態（容器１の閉状態）で、分割収容部（４）の外面に突出する部位がなく、この分割収容部（４）を下にして安定に静置することができる。
【００１６】
図３に係合対１６を拡大して示す。凸部１８は、第２分割収容部４の縁部１３の外面から突出する横断面略正方形の伸長部分２２と、横断面において伸長部分２２より大きい先端部分２４とを備えている。また、凹部２０は、第１分割収容部２の縁部１２に形成された貫通孔で、長穴状に形成されている。凸部１８の伸長部分２２は、縁部１２の凹部２０の内径にほぼ等しい大きさに形成されており、凹部２０周りの第２分割収容部４の厚みよりやや長く形成されている。先端部分２４は、凹部２０より大径に形成されており、凹部２０に圧入されて挿し通されることで、凹部２０の開口端縁と係合する。
【００１７】
シート６は、第２分割収容部４に沿って設けられ、表示や係合部分など種々の目的の形状、印刷を有するように形成されている。本実施形態のシート６は、図１，２に示すように、第２分割収容部４と同様の形状を有し、さらに連結部１４と反対の側において第２分割収容部４より長く延びる延長部２８を備えている。シート６は、紙、フィルム、薄板などシート状の種々の部材で形成することができる。本実施形態では、厚紙で形成されている。
【００１８】
シート６は、第２分割収容部４に接着剤や接着材等、公知の固着手段を用いて固定して設けることができる。好ましくは、本実施形態のように縁部１３に沿って設け、係合対１６に係止される形態とされる。図２に示すように、シート６は、第２分割収容部４の縁部１３の凸部１８に対応する位置に貫通孔２６が形成されている。図３に示すように、この貫通孔２６に第２分割収容部４の凸部１８が通されることで、シート６が第２分割収容部４に対して固定状態とされる。
【００１９】
シート６の容器１の外側から視認される部位は、表示部として使用できる。表示部としては、例えば、商品名や物質名、キャッチコピーなど、種々の文字、模様などの意匠が付与される。また、シート６を第１分割収容部２または第２分割収容部４から突出する部分を形成して、種々の機能性部分を設けることができる。例えば、容器１から突出する分類用のタグや、容器１を他部材に掛けるための引っかけ様の孔や鉤状部などの係留部を設けることができる。
本実施形態のシート６は、第１分割収容部２および第２分割収容部４から突出する延長部２８に貫通孔が形成されて係留部３０となっている。また、シート６の両面には、図示しないが、商品名や商品の使用方法、取り扱いに関する表示などが付与されている。
【００２０】
この容器１は、第１分割収容部２、第２分割収容部４に、それぞれ係合対１６である凹部２０および凸部１８が一体成形されており、容易に製造される。また、第１分割収容部２と第２分割収容部４とが同様の材料で溶着、一体化されており、部品点数が少なく、取り扱いやすい。
この容器１では、封入作業は、第１分割収容部２の収容部１０内に物品８を入れて第１分割収容部２と第２分割収容部４を係合対１６で係合させることで完了する。このため、他部材や他の接着剤などの材料を必要とせず、簡易で効率よく封入できる容器となっている。また、取り外しも係合対１６の係合を解除するだけで良く、簡単である。取外しでは、特に係合対１６が第１分割収容部２または第２分割収容部４と分離しないため、廃棄物が出ず、好ましい。
【００２１】
容器１は、係脱自在な係合対１６を備えているため、開封後、使用途中又は使用後の物品８を繰り返し封入することができる。したがって、物品８を保護する保存用容器、保管用容器として容器１を用いることができる。例えば、本実施形態の物品８が柔軟なパックである場合や、壊れやすい部分を含む部材の場合、容器１に封入することにより、他部材との直接的な衝突が回避できる。このため、他の剛性の大きい材料、例えば、工具類やガラス瓶などとの衝突による物品８の破損を抑制して一緒に保管することができる。すなわち、容器１は、物品８の保管に好適な場所で必要とされる強度を備えるように形成されていることが好ましい。
【００２２】
また、容器１は、第１分割収容部２および第２分割収容部４に、それぞれ互いに対向する縁部１２，１３が設けられ、この縁部１２，１３に係合対１６が設けられているため、第１分割収容部２と第２分割収容部４との間の隙間が小さく、良好な封入状態が形成される。このため、包装はもちろん、保管や保存における収容部１０内の物品８の保護が良好に達成される。
【００２３】
また、シート６は、封入状態では、縁部１２、１３間に挟まれて安定に保持されている。特に、第２分割収容部４が平板状に形成されているため、シート６は、縁部１３を含む第２分割収容部４に対向する部分全体が第２分割収容部４に沿って安定に保持されている。そして、係合対１６の凸部１８を利用して取り付けられているため、物品８の収容の有無や容器１の開閉にかかわらず安定に固定されている。また、凸部１８によって確実に第１および第２分割収容部２，４に固定されているため、シート６の係留部３０を陳列用のバーなどに掛けることで、容器１を安定に吊り下げ状態に保持できる。さらに、容器１の使用後に、シート６と第１分割収容部２および第２分割収容部４とを分別することが容易で、簡単に材料ごとの回収ができる。また、シート６を取り外すことで、容器１の外形を小さくすることができる。
【００２４】
また、第１分割収容部２の連結部１４に連続する収容部１０の面は、平坦に形成されているため、自立させることができる。また、シート１０の係留部３０を用いて容器１を吊り下げることもできる。したがって、容器１では収容場所に合わせて好ましい形態で配置でき、より少ないスペースで効率よく収納できる。
また、自立時に下面に形成される面に連続して第１分割収容部２が連結されていると、第１分割収容部２と第２分割収容部４との接続部分の隙間から物品が落下することを確実に防ぐことができ、好ましい。
【００２５】
また、図４に本発明の第２の実施形態に係る容器４１を示す。
容器４１では、幅方向、すなわち、第１分割収容部４２と第２分割収容部４４とが連結されている辺が、第１の実施形態の容器１より長く形成されている他は同様に形成されているので、詳細な説明は省略する。第１分割収容部４２は、直方体状の内部空間を備える収容部５２と収容部５２の開口端に沿って延びる縁部４６とを備えている。第２分割収容部４４は平板状に形成されており、端縁部分、すなわち縁部４６に対向する部分が縁部４７に形成されている。第１分割収容部４２と第２分割収容部４４とは、図４中下端に位置する収容部５２の辺で第１実施形態と同様に回動自在に連結されている。
【００２６】
第１分割収容部４２の縁部４６のうち、連結部分と反対側の上側部およびこれに対向する第２分割収容部４４の縁部４７の上側部が大きく形成されている。縁部４６および４７の上側部は、貫通孔が設けられて係留部４８に形成されている。
【００２７】
また、容器４１は、シート５０を備えている。シート５０は、第１および第２の分割収容部４２，４４の内側に沿って設けられている。シート５０は、図４において左右方向に収容部５２の開口面と同様の幅を有しており、上下方向には、容器４１より長く形成されている。シート５０の一端は、第２分割収容部４４の上端にほぼ合わされており、係留部４８に対応する位置に貫通孔が設けられている。そして、第２分割収容部４４の収容部５２を形成する面全体に沿っている。さらに、シート５０は、第２分割収容部４４の下面で第１分割収容部４２側に折り曲げられており、第１分割収容部４２の収容部５２を構成する内側に沿って設けられている。すなわち、シート５０の部分５０ａは、図４中、第１分割収容部４２の収容部５２の底面を構成する部分に沿い、部分５０ｂは、手前側側面を構成する部分に沿って延びている。
【００２８】
本実施形態のシート５０は、第１分割収容部４２側に突出して形成されている部分によって、図４の左右方向に固定されている。また、上下方向には物品５５が収容部５２に収容されることで第１分割収容部４２または第２分割収容部４４との間に挟み付けられることによって固定されている。
【００２９】
この容器４１では、係留部４８が第１分割収容部４２および第２分割収容部４４に形成されているため、物品５５の重量に対する耐久性が大きい。また、シート５０を第２分割収容部４４に沿うとともに第１分割収容部４２の収容部５２にも沿う形状に形成することにより、シート５０を容器４１を用いて安定して配置することができる。シート５０は、第１分割収容部４２および第２分割収容部４４内から突出しない状態なので、容器４１内に保護された状態で保持される。また、１枚のシート５０で物品５５の前面および後面の両方に表示を施すことができる。
【００３０】
なお、本発明に係る容器は、包装用、または保管用のどちらか一方の用途のみに使用されても良いことは、もちろんである。また、本発明に係る容器は、第１分割収容部と第２分割収容部とは、突き合わされる面の形状が完全に一致する形態に限定されず、どちらか一方が他方より大きい部分を備えていても良い。この場合、開口部分の形状は同一で縁部の形状のみが異なっていても良いし、開口部分の形状自体が異なっていても良い。また、第１分割収容部または第２分割収容部の縁部のみから成る部分を係留部やタグなどに形成しても良い。
【００３１】
また、係合対の形状は上記実施形態に限定されず、適宜選択できる。例えば、凸部とこの凸部が係合可能な孔に限定されず、溝状部やスリットなど所望の形状に形成できる。また、係合対は、第１分割収容部に凹部が設けられ、第２分割収容部に凸部が設けられていても良い。さらに、縁部は、分割収容部の開口面と同一平面を成すように設けられている形態に限定されず、所定の角度に形成されていても良い。また、平面を成す形態に限定されず、曲面状に形成されていても良い。板状に限定されず、例えば、半円柱状など、種々の形状に形成できる。
【００３２】
本発明の容器は、シートに係留部を備える形態であると、シートに所望の係留構造を設けて、容器に一体化することで種々の係留が可能な容器となる。
あるいは、分割収容部の縁部に係留部を備える形態であると、さらに、分割収容部の強度が得られるため、より強度の高い係留形態となる。
また、特に、シートが設けられる構成では、分割収容部が透明部分を備えていると、外側からシートの表示を視認でき、好ましい。また、シートが透明部分に沿って設けられている形態であると、外側からシートを良好に視認できる。
具体的には、分割収容部がプラスチック製の透明部材であると、収容部内を視認でき、また係合対を一体成形によって成形できるため、好ましい。
また、上記実施形態のように係合対を凹部と凸部との組み合わせとして可撓性を備えるプラスチック材料で成形することにより、係合と係合解除とを繰り返し行える係合対が一体化された容器が容易に得られる。
また、上記第１および第２の実施形態のように、複数の分割収容部が端部の一辺で回動自在に連結されている形態であると、容器の部品点数が低減されるため、好ましい。
特に、分割収容部の連結部が、容器の底部に成し得る側に設けられると、収容部内の物品が分割収容部間から抜け落ちることを回避でき、好ましい。
【００３３】
【発明の効果】
本発明では、単純な構造で、物品を容易に封入でき、かつ物品の保管が可能な容器を提供することができる。
【図面の簡単な説明】
【図１】本発明の第１の実施形態に係わる容器に物品が収容されている状態を示す斜視図である。
【図２】図１の容器の開封状態を示す斜視図である。
【図３】図１の容器の係合対部分の拡大断面図である。
【図４】本発明にかかる第２の実施形態の容器を示す斜視図である。
【符号の説明】
１，４１　容器
２，４２　第１分割収容部
４，４４　第２分割収容部
６，５０　シート
８，５５　物品
１０，５２　収容部
１２，１３，４６，４７　縁部
１４，４８　連結部
１６　係合対
１８　凸部
２０　凹部
２２　伸長部分
２４　先端部分
２６　貫通孔
２８　延長部
３０，４８　係留部
【図１】
2004010074.tif 000003
【図２】
2004010074.tif 000004
【図３】
2004010074.tif 000005
【図４】
2004010074.tif 000006